(57)【要約】      （修正有）【課題】地上において負担を少なく効率よく屋根の雪降しのできるスノーカッターを提供する。【解決手段】屋根の積雪を容易に降ろすため、雪に切れ目を入れる作業と、引き降ろす作業を完全に分離する。雪に切れ目を入れる為の専用具として、長尺の柄１と、柄１の先端に固定された支持棒２と、支持棒２の先端部近傍と柄１の先端から適宜手元側部との間に係止して設けた雪切線７と、支持棒２の先端部近傍に設けた軸芯６の回りに回動自在のＶ字形の薄板から成る雪切羽板５ａ，５ｂとを有するスノーカッターとする。【選択図】図１
0003187013.tif 000002
【実用新案登録請求の範囲】
【請求項１】
屋根の雪降しを容易にするために積雪に切れ目を入れる手持ちの用具であって、長尺の柄１と、柄１の先端に固定された柄１に垂直を含む適宜角度の棒材から成る支持棒２と、支持棒２の先端部近傍と柄１の先端から適宜手元側部との間に係止して設けた雪切線７と、支持棒２の先端部近傍に設けた柄１に垂直な面内であって支持棒２に垂直な軸芯６の回りに回動自在のＶ字形の薄板から成る雪切羽板５と、を有することを特徴としたスノーカッター。
【考案の詳細な説明】
【技術分野】
【０００１】  本考案は、屋根に積もった雪を降す作業用具に関する。
【背景技術】
【０００２】  屋根に積もった雪を降ろす際に使用されている主な用具であるスコップでの雪降しは、屋根に登らなければならないことから、作業中の転落事故など危険が伴った。このため、屋根に登らずに雪降しする用具が望まれており、これまでにも開示例がある。（例えば、特許文献１参照）
【先行技術文献】
【特許文献】
【０００３】
【特許文献１】  特開平１０−２５２０２９号公報
【考案の概要】
【考案が解決しようとする課題】
【０００４】  特許文献１の用具は、屋根に登らずに下から作業する用具であって、本用具を屋根面に平行に押し上げ、雪切り縦板で左右側面を切り取り、手前に引いてダンパーで雪を堰き止めて雪を降ろす用具とされている。しかしながら、本用具は装置が複雑であって、重たく扱いづらいという欠点があった。そこで、本考案は、地上において安全に効率良く、作業の負担についても軽減できる雪降し用具を提供しようとするものである。
また、現在市販されている屋根の雪降ろし用具の中にも、地上において引き降ろす用具はいくつかあるが、そのほとんどがＴの字形で雪を手前から少量ずつ削り落とすものであり効率的に難点があった。
【課題を解決するための手段】
【０００５】  屋根に積もった雪を降ろすにあたり、積雪に切れ目を入れる作業と、引き降ろす作業を完全に分離する方法とし、本考案は、積雪に切れ目を入れる作業に用いる用具に関する。
本考案は、屋根の雪降しを容易にするために積雪に切れ目を入れる手持ちの用具であって、長尺の柄１と、該柄１の先端に固定された該柄１に垂直を含む適宜角度の棒材から成る支持棒２と、支持棒２の先端部近傍と前記柄１の先端から適宜手元側部との間に係止して設けた雪切線７と、支持棒２の先端部近傍に設けた柄１に垂直な面内であって支持棒２に垂直な軸芯６の回りに回動自在のＶ字形の薄板から成る雪切羽板５と、を有することを特徴としたスノーカッターとするのが好ましい。
【考案の効果】
【０００６】  屋根の下から積雪を引き降ろす作業を容易にするため、屋根に積もった雪に対し、本用具を用いて、最初に縦方向と底辺に対し切れ目を入れ、左右何れかに移動して同様作業を繰り返すことによって、屋根の傾斜方向に自由な大きさの長方形に切れ目を入れることができる。この後は、本考案に記載しない別途の引き降ろし具を用いて、先の切れ目に添って引くことにより雪降しする。このようにすることで、地上において効率良く作業負担を軽減した雪降しができる。
雪切線７により屋根の傾斜方向の縦面に切れ目を入れ、雪切羽板５により屋根面に平行に底面に切れ目を入れ、積雪が屋根の傾斜方向に長方形に切り離されることによって、形を保ったまま容易に効率良く引き降ろすことができる。
雪切羽板５は、水平軸周りに回動自在としたので本用具を引いた方向に向くことができ、またＶ字形扇状としたので雪を切る抵抗が少なく、積雪への食い込みもスムーズで作業の負担も少なく効率が良い。
【図面の簡単な説明】
【０００７】
【図１】本考案のスノーカッターの斜視図
【図２】開閉板拡大図
【図３】雪切羽板を上に向けた状態の説明図
【図４】ストッパー近傍の構成を示す側面視の説明図
【０００８】  本考案を実施するための形態を図１〜４を用いて詳細に説明する。
本用具は長尺の柄１の先端部に、柄１に対し垂直を含む適宜角度に固定した、棒材から成る支持棒２を設ける。その支持棒２の先端部近傍に貫通穴などの係止手段を備えた支点板８を設け、この支点板８と柄１の先端から適宜手元側に設けた係止手段を有する支点９との間に、積雪に対し屋根の傾斜方向である縦方向の切れ目を入れるための線材から成る雪切線７を張った状態に係止して設ける。
柄１は、木材の丸棒でよいが、長尺とするため継手構造としたり、伸縮自在構造とすることができ、材料はアルミなどの軽量パイプとすることもできる。
支持棒２は積雪を横切る際に抵抗を少なく細身で強靭な部材がよく、このために鋼材などの棒材が好ましい。
雪切線７は積雪を引き切る部材であって、細身で強靭とするために鋼線などの線材を用いて張った状態で設けるのがよい。【０００９】  積雪の底辺に切れ目を入れるため、支持棒２の先端部近傍に、柄１に垂直な面内であって支持棒２に垂直な軸の回りに回動自在となるように雪切羽板５を設ける。雪切羽板５は鋼板や樹脂材料などの剛性を有する薄板で成る左右の雪切羽板５ａ、５ｂで成り、Ｖ字形で扇状に構成され、このＶ字形の頂部となる雪切羽板５ａ、５ｂの基部は台形の支持板４に形体と補強を兼ねて固定される。雪切羽板５ａ、５ｂの形状は、図では矩形の板で示したが、翼状など他の形状であってもよい。
この雪切羽板５が固定された支持板４は、支持棒２の先端部近傍に、開閉板３を介して、柄１に垂直な面内であって支持棒２に垂直な軸芯６の回りに回動自在に取り付けられる。開閉板３は、図２の拡大図に示すように、軸芯６を軸に固定用の２枚の平板３ａ、３ｂが回動自在に開閉する構造であり、その一方の３ａが、支持棒２の下端側に固定され、他方の３ｂに支持板４が固定される。
この結果、雪切羽板５のＶ字形頂部が支軸となって、雪切羽板５は水平な軸芯６の回りに回動自在となる。
これまでの説明では、雪切羽板５ａ、５ｂ、支持板４、開閉板３ａ、３ｂを個々の部材として説明したが、同様の機能を有するならば、当然ながらこれらの一部又は全てが一体の部材で構成されてよい。
このように構成したので、積雪に対して柄１を持って手元方向に引くと、開閉板３の軸芯６を基点に雪切羽板５は力の加わった方向に向く機能を有しており、かつ、屋根面に平行な平面視において、雪切羽板５のＶ字形の頂部が進行方向に向くので雪切羽板５ａ、５ｂの雪を切る辺部が傾斜して雪に接し雪を切る抵抗を小さくすることができ、屋根面に沿って平行に積雪の底辺に効果的に切れ目を入れることができる。【００１０】  図３に、雪切羽板５を開閉板３の軸芯６を軸として上方に回転させ、支持棒２側に閉じた状態を示す。図では雪切羽板５の裏面が示されている。
図４にストッパー近傍の構成を示す。柄１を持って屋根の上部に移動させる際、雪切羽板５が自重で下向きになり、積雪面に突き刺さる不具合がある。これを防ぐため、開閉板３ａ側に取着したストッパー１１が雪切羽板５側に突き出し、雪切羽板５が下向きになるのを受け止める構成とした。
また、支持棒２の下端に弾性を有する柄１に略平行な小片で成る緩衝部品１０を備えた。屋根面との接触による屋根の損傷を防ぐ役割を有する。緩衝部品１０は、本例では、支持棒２の先端を柄１に略平行に適宜屈曲してこれにゴム管を装着したがこの例に限定したものではない。【００１１】  つぎに、使用方法を説明する。
まず雪を降ろそうとする屋根面の積雪に、本発明のスノーカッターをあて、屋根の積雪の上部から下に引く。雪切線７によって１本の縦面の切れ目と、雪切羽板５ａ、５ｂによって左右の底面に切れ目が入る。適宜距離を置いた左右の何れかにこの操作を繰り返すことによって、積雪が屋根の傾斜方向に長方形の箱状に切断された状態となる。つぎに、詳細は省略したが、別途の鍬状の雪降ろし用具によって切れ目を入れた雪を引き降ろす。
このように、雪は接続部分が切断されることによって、容易で効率的に引き降ろすことが可能になる。
【符号の説明】
【００１２】１  柄
２  支持棒
３（３ａ、３ｂ）  開閉板
４  支持板
５（５ａ、５ｂ）  雪切羽板
６  軸芯
７  雪切線
８  支点板
９  支点
１０  緩衝部品
１１  ストッパー
【図１】
0003187013.tif 000003
【図２】
0003187013.tif 000004
【図３】
0003187013.tif 000005
【図４】
0003187013.tif 000006